(57)【特許請求の範囲】
【請求項１】
原稿画像を表す第1の画像データを入力し、
前記第1の画像データに対して、複数の種類の2値化処理を行い、
各種類の2値化処理を行って得た各々の種類の2値化画像データを第1のメモリに記憶し、
前記第1のメモリから１つの種類の前記２値化画像データをサンプリングし低解像度の第２の画像データに変換し、
該第２の画像データを第1の表示手段が有する第２のメモリに格納し、
該第2の画像データに基づいた画像をモニタ画像として第1の表示手段に表示し、
表示された前記モニタ画像に対して複数の編集対象領域および該複数の編集対象領域に対する画像編集内容を指定し、
前記指定された編集対象領域および画像編集内容を第３のメモリに記憶し、
前記第３のメモリに記憶された編集対象領域および画像編集内容にしたがって、前記第1のメモリに記憶された各種類の前記２値化画像データから、当該編集対象領域および画像編集内容が該当する部分のデータを選択し、前記選択されたデータに対して夫々該当する必要な画像編集を施して得た各々のデータを合わせて第３の画像データを得、
該第３の画像データを出力装置に出力することを特徴とする画像処理方法。
【請求項２】
前記2値化処理が、文字用2値化処理および写真用2値化を含むことを特徴とする請求項１記載の画像処理方法。
【請求項３】
前記第３の画像データを、第４のメモリに記憶し、
該第３の画像データをサンプリングし低解像度の第４の画像データに変換し、
該第４の画像データを第2の表示手段が有する第５のメモリに格納し、
該第4の画像データに基づいた画像をモニタ画像として第2の表示手段に表示することを特徴とする請求項１または２記載の画像処理方法。
【請求項４】
前記第1の表示手段と第2の表示手段が、同一のものであることを特徴とする請求項３記載の画像処理方法。
【請求項５】
原稿画像を表す第1の画像データを入力する原稿入力手段と、前記第1の画像データに対して、複数の種類の2値化処理を行って、夫々の種類の２値化画像データを得る2値化手段と、
各種類の前記2値化画像データを記憶する第１のメモリと、
前記第1のメモリから１つの種類の２値化画像データをサンプリングし低解像度の第２の画像データに変換する第1の低解像度変換手段と、
該第２の画像データを格納する第２のメモリを有し、該第２の画像データに基づいた画像をモニタ画像として表示する第1の画像表示手段と、
前記表示されたモニタ画像に対して、編集対象領域および各前記編集対象領域に対する画像編集内容を指定する入力手段と、
前記指定された編集対象領域および画像編集内容を記憶する第３のメモリと、
前記第３のメモリに記憶された編集対象領域および画像編集内容にしたがって、前記第1のメモリに記憶された各種類の２値化画像データから、当該編集対象領域および編集内容が該当する部分のデータを選択し、前記選択されたデータに対して夫々該当する必要な画像編集を施して得た各々のデータを合せて第３の画像データを得、該第３の画像データを出力装置に出力する画像データ処理手段とを備えたことを特徴とする画像処理装置。
【請求項６】
前記2値化手段が、前記第1の画像データに対して、文字用2値化処理、写真用２値化処理を含むものであることを特徴とする請求項５記載の画像処理装置。
【請求項７】
前記第３の画像データを記憶する第４のメモリと、該第４のメモリに記憶された第３の画像データをサンプリングして低解像度の第４の画像データに変換する第2の低解像度変換手段と、前記第４の画像データを格納する第５のメモリを有し、前記第４の画像データに基づいた画像をモニタ画像として表示する第２の表示手段をさらに備えたことを特徴とする請求項５または６記載の画像処理装置。
【請求項８】
前記第1の表示手段と第2の表示手段が、同一のものであることを特徴とする請求項７記載の画像処理装置。
【発明の詳細な説明】
【０００１】
【発明の属する技術分野】
本発明は、製版機、複写機、プリンタ、あるいは製版機と印刷機を一体化した謄写印刷機などにおける画像処理（編集）機能について、編集領域および編集内容を指定する操作における原稿のセット位置と前記操作終了後、原稿を原稿画像入力部へのセット位置とのずれを解消し、もしくはその位置合わせ操作を省くことができる画像処理方法および装置に関するものである。
【０００２】
【従来の技術】
複写装置、プリンタ或いは孔版印刷装置など、原稿シートの原稿画像をスキャナなどの原稿読取装置で読取り、前記原稿画像をもとにして画像を複写して印刷出力する装置が広く普及している。
【０００３】
ここで、前記孔版印刷装置において印刷出力を得る際には、たとえば、特開平7-322061号などに記載されているように、原稿中の文字情報の領域と画像情報の領域を自動的に識別し、各領域に応じて適切な処理を行うことにより、原稿中の文字は文字らしく、画像は画像らしく出力することが行われている。また、文字や画像に網掛けを施したり、反転（ネガ／ポジだけでなく色相の反転も含む）したり、所望範囲を消去したりするなど、所望の修飾を施して出力することも行われている。
【０００４】
ここで、原稿中の文字情報の領域と画像情報の領域を自動的に識別するという方法は、必ずしも十分な精度で識別を行うことができるものではない。また、文字情報領域内部、画像情報領域内部をさらに細かく領域分けして、修飾を施する場合もあるため、たとえば、座標入力装置となるデジタイザを用いて、オペレータが手動で修飾を施す領域を指定し、この指定した領域内の画像（文字を含む）に対する処理内容を指定する、いわゆる画像加工（編集）機能を備えた装置が提案されている。一方、デジタイザを用いると、領域指定だけでなく、指定した領域に対して、所望の修飾内容の設定をデジタイザ上で行うこともできる。
【０００５】
上記デジタイザを用いた画像加工機能を備えた装置としては、たとえば、押された位置により座標を判断するタブレット、該タブレット上をポイントするポイントペン、タブレット上の押さえられた位置、ポイントペンにより描かれた図形や、選択された処理領域や、修飾内容などをユーザに知らせるためのディスプレイ（通常LCDが用いられる）、設定された内容を保存、展開しておくためのメモリ、入力情報・出力情報を制御するための制御部が設けられたものがある。そして、上述の構成のデジタイザにおいては、通常複数の処理領域を指定することができ、指定した処理領域ごとに修飾内容を設定することができる。そして、LCD上には、各処理領域についての修飾内容を対応つけて表示させることもできる。また、指定した処理領域や、該処理領域に対して修飾内容を修正することもできる。
【０００６】
上述の構成のデジタイザを使用した印刷装置を用いて印刷を行う際、修飾処理は下記の手順により行われる。
【０００７】
まず、修飾処理を施したい原稿をデジタイザのタブレット基準点に合わせて設置し、原稿の上からポイントペンにより処理領域を指示し、タブレットから読み取った基準点からの座標により、処理領域を指定する。この場合、タブレットの基準点は常に固定である。タブレット上の処理領域指定が終わると、指定した処理領域に対して処理内容を設定し、タブレット上に設置していた原稿を印刷機のスキャナなどの読取装置に設置し直し、スキャナに原稿から画像を読み込ませて、タブレットで指定した処理領域と読み取って得た画像データとを合成し、指定された処理領域に設定された処理内容に基づいて修飾処理を施す。
【０００８】
上記修飾処理の手順では、原稿のセット操作が2段階に行われる。すなわち、元となる原稿をタブレットの基準位置に設置し、処理領域および処理内容を設定した後に、原稿を印刷機のスキャナの基準に沿って設置するプロセスが必要である。このプロセスはオペレータの手作業によって行われるため、設置の位置について十分な精度を出すことは極めて困難であるので、デジタイザに記憶させた処理領域の位置が、出力画像において「位置ずれ」を生じる問題がある。
【０００９】
また、画像出力部としてプリンタを備えた、さらには画像入力部としてのイメージスキャナを備えたコンピュータにおける各種の画像処理機能としては、ドットマトリクス液晶表示部や、ＣＲＴ（陰極線管）表示部に画像を表示し、モニタリングしながら画像処理を行う装置もあるが、これらの装置では、原稿を読み取って得た高解像度の画像データをそのまま記憶部に記憶させて表示部に表示させ、さらにその画像データを高解像度のままデータ変換して画像処理を行うので、その高解像度に対応しうる量のデータを記憶するために、大容量のメモリが必要となる。
【００１０】
そのため、特開平1-24463号に記載されているように、下記の画像方法が提案されている。すなわち、原稿を読み取って得た画像データをサンプリング処理により低解像度のデータに変換して、モニタなどの表示部に表示させ、表示部に表示されたデータに対して画像処理領域および処理内容を指定した後に、再び原稿の読取りを行い、第2回目に原稿を読み取って得た画像データに対して、前述の操作で指定された画像処理領域および処理内容にしたがって、画像処理を施して出力する。こうすることによって、前述の原稿の2段階のセットの必要が無くなり、デジタイザに記憶させた画像処理対象領域の位置が出力画像において「位置ずれ」を生じる問題を解消することができる。
【００１１】
【発明が解決しようとする課題】
しかしながら、上述のシステムにおいては、原稿の2段階のセットの必要を無くし、「位置ずれ」の問題を解消することができるが、原稿を2度読まなければならず、効率が良くない。また、画像編集操作中、原稿を読取部にセットしたままとなるので、編集中に原稿を手元におき、確認しながら編集処理ができない問題がある。
【００１２】
本発明は、上記事情に鑑みなされたものであり、画像処理対象領域の位置合せ操作を無くし、原稿の位置ずれ問題を解消すると共に、原稿の読込みが１度だけの画像編集を可能にし、さらに原稿を読み込て得たデータを記憶するメモリを小さくすることができる画像処理方法および装置を提供することを目的とするものである。
【００１３】
【課題を解決するための手段】
本発明による画像処理方法は、原稿画像を表す第1の画像データを入力し、前記第1の画像データに対して、複数の種類の2値化処理を行い、各種類の2値化処理を行って得た各々の種類の2値化画像データを第1のメモリに記憶し、前記第1のメモリから１つの種類の前記２値化画像データをサンプリングし低解像度の第２の画像データに変換し、該第２の画像データを第1の表示手段が有する第２のメモリに格納し、該第2の画像データに基づいた画像をモニタ画像として第1の表示手段に表示し、表示された前記モニタ画像に対して複数の編集対象領域および該複数の編集対象領域に対する画像編集内容を指定し、前記指定された編集対象領域および画像編集内容を第３のメモリに記憶し、前記第３のメモリに記憶された編集対象領域および画像編集内容にしたがって、前記第1のメモリに記憶された各種類の前記２値化画像データから、当該編集対象領域および画像編集内容が該当する部分のデータを選択し、前記選択されたデータに対して夫々該当する必要な画像編集を施して得た各々のデータを合せて第3の画像データを得、該第３の画像データを出力装置に出力することを特徴とするものである。
【００１４】
すなわち、本発明の画像処理方法は、原稿画像を表す第1の画像データに対して、まず、2値化処理を行い、該2値化処理された2値化画像データを第1のメモリに記憶して、後の画像編集（処理）のベースとなるデータとする。通常、画像処理装置の原稿読取部が原稿を読み取って得たデータ（第1の画像データ）は、８ビット（カラーの場合、２４ビット）の階調を有するため、このデータをそのまま記憶するには、莫大なメモリ容量が必要となる。本発明において、まず、第1の画像データに対して、必ず必要となる2値化処理を施した後に第1のメモリに保存することによって、小容量のメモリで画像処理のベースとなるデータを記憶することができる。また、後の画像処理のベースとなるデータ（2値化画像データ）が既に記憶されているので、原稿を読取部から取り外して、原稿を確認しながら、後の画像処理操作を行うことが可能となる。
【００１５】
2値化処理の種類としては、文字用誤差拡散2値化処理、写真用誤差拡散2値化処理、文字用網点2値化処理、写真用網点用2値化処理、文字用強制黒2値化処理があるが、本発明において、前記第１の画像データに対して行う2値化処理は、少なくとも文字用2値化処理および写真用2値化処理を含むことが好ましく、文字用2値化処理として、文字用誤差拡散2値化処理、またはも文字用網点2値化処理、または文字用誤差拡散2値化処理またはも文字用網点2値化処理の両方を行うかは、所望に応じて決定すればよい。なお、写真用2値化処理についても同様である。
【００１６】
ここで、「原稿を表す第1の画像データを入力」するとは、スキャナなどの画像読取装置によって、原稿を読み取って画像データを得ることを意味する。
【００１７】
また、前記「第1のメモリ」とは、前記2値化画像データ、すなわち、文字用2値化処理済みの2値化画像データや、写真用2値化処理済みの2値化画像データなどを記憶するものであるが、アドレス別に異なる種類の複数の前記2値化画像データを記憶する1つのメモリであってもよいし、前記2値化画像データの種類に応じた複数のメモリから構成されてもよい。
【００１８】
また、「編集対象領域および前記編集対象領域に対する画像編集内容を指定する」とは、前記モニタ画像に対して、編集処理を施す対象となる領域および編集内容を指定することを意味するが、指定していない領域を、「未指定領域」として指定していることを含むこととする。なお、「未指定領域」に対する編集内容を指定してもよいが、通常、「未指定領域」が画像編集を加える必要性の少ない領域である理由から、所望に応じて予め用意した「未指定領域」に対するデフォルトの編集内容を応用してもよい。この場合、編集内容を指定していないが、デフォルトの編集内容を指定していることとする。
【００１９】
また、画像編集内容としては、概して文字処理（文字用誤算拡散処理または文字用網点処理）、写真処理（写真用誤差拡散処理または写真用網点処理）、文字用強制黒処理、網掛処理、中抜き処理、ネガ／ポジ反転処理、強制白、強制黒などの種類があり、「前記第３のメモリに記憶された編集対象領域および画像編集内容にしたがって、前記第1のメモリに記憶された各種類の前記２値化画像データから、当該編集対象領域および画像編集内容が該当する部分のデータを選択」するとは、たとえば、編集対象領域Ａおよび領域Ａに対して写真用網点処理の編集内容が指定された時に、前記第1のメモリに記憶された各種類の2値化画像データから、写真用網点処理済みの２値化画像データの領域Ａの部分のデータを選択することを意味する。
【００２０】
後に、「前記選択されたデータに対して夫々該当する必要な画像編集を施して得たデータ」とは、例えば、編集対象領域Ｂおよび領域Ｂに対して文字用網点処理と、中抜き処理との編集内容が指定された時に、前記第1のメモリに記憶された各種類の2値化画像データから、文字用網点処理済みの2値化画像データの領域Ｂの部分のデータを選択し、該データに対して中抜き処理を行って得たデータのことを意味するが、前述の写真用網点処理済みの2値化画像データの領域Ａの部分のデータを含むこととする。該データが既に写真用網点処理が施されたので、あえて画像編集を施す必要がないため、選択されたまま、前記第3の画像データの作成に供される。
【００２１】
また、「未指定領域」に対して、たとえば、「強制白」の画像編集内容を指定して、指定した編集対象領域以外の領域を全部白くしてもよいし、編集内容を指定しない場合は、「未指定領域」に対するデフォルトの編集内容が「写真用網点処理」に設定されていれば、前記第１のメモリから、写真用網点処理済みの2値化画像データの前記「未指定領域」部分のデータを選択して、前記第3の画像データの作成に供してもよい。
【００２２】
これらの画像編集済みの各々のデータを合せて得た第3の画像データを、出力する装置に出力するが、出力のイメージを確認するために、本発明の画像処理方法においては、前記第３の画像データを、第４のメモリに記憶し、該第３の画像データをサンプリングし低解像度の第４の画像データに変換し、該第４の画像データを第2の表示手段が有する第５のメモリに格納し、該第4の画像データに基づいた画像をモニタ画像として第2の表示手段に表示することが好ましい。
【００２３】
また、装置の小型化およびコストダウンのため、前記第1の表示手段と第2の表示手段が、同一なものを使用することが好ましい。なお、この場合、第２のメモリと第5のメモリも同一なものとなる。
【００２４】
本発明の画像処理装置は、原稿画像を表す第1の画像データを入力する原稿入力手段と、前記第1の画像データに対して、複数の種類の2値化処理を行って、夫々の種類の２値化画像データを得る2値化手段と、各種類の前記2値化画像データを記憶する第１のメモリと、前記第1のメモリから１つの種類の２値化画像データをサンプリングし低解像度の第２の画像データに変換する第1の低解像度変換手段と、該第２の画像データを格納する第２のメモリを有し、該第２の画像データに基づいた画像をモニタ画像として表示する第1の画像表示手段と、前記表示されたモニタ画像に対して、複数の編集対象領域および該複数の編集対象領域に対する画像編集内容を指定する入力手段と、前記指定された編集対象領域および画像編集内容と、前記指定された編集対象領域以外の編集対象外領域とを記憶する第３のメモリと、前記第３のメモリに記憶された編集対象領域および画像編集内容にしたがって、前記第1のメモリに記憶された各種類の２値化画像データから、当該編集対象領域および編集内容が該当する部分のデータを選択し、前記選択されたデータに対して夫々該当する必要な画像編集を施して得た各々のデータを合せて第３の画像データを得、該第３の画像データを出力装置に出力する画像データ処理手段とを備えたことを特徴とするものである。
【００２５】
ここで、「入力手段」としては、前記第1の表示手段に表示されたモニタ画像に対して、前記編集対象領域および画像編集内容を指定できるポインティングデバイスでもよいし、前記第1の表示手段に設けられたタッチパネルなどであってもよい。
【００２６】
前記2値化手段は、前記第1の画像データに対して、少なくとも文字用の２値化処理および写真用の２値化処理を行うものであることが好ましい。
【００２７】
また、前記出力装置に出力する第3の画像データのイメージを確認することを可能とするために、本発明の画像処理装置には、前記第３の画像データを記憶する第４のメモリと、該第４のメモリに記憶された第３の画像データをサンプリングして低解像度の第４の画像データに変換する第2の低解像度変換手段と、前記第４の画像データを格納する第５のメモリを有し、前記第４の画像データに基づいた画像をモニタ画像として表示する第２の表示手段をさらに備えたことが好ましい。
【００２８】
また、装置の小型化とコストダウンのために、前記第1の表示手段と第2の表示手段が、同一のものであることが好ましい。この際、前記第2と第5のメモリも同一なものとなる。
【００２９】
【発明の効果】
本発明の画像処理方法および画像装置によれば、原稿を読み取って得たデータに対して、複数の種類の2値化処理を行い、該2値化処理によって得た各種類の2値化画像データを記憶しておき、後の編集対象領域および画像編集内容の指定と、画像編集処理のために供するので、原稿の編集対象領域の指定と原稿を読み取るための2段階の原稿のセットを不要にし、原稿の位置ずれを防ぐと共に、原稿の読取りを1度だけにして、画像処理効率の向上を図ることができる。
【００３０】
また、メモリの記憶対象となるデータが、2値化処理されたデータであって、高解像度にも関わらず、データのサイズが小さいので、必要なメモリの容量を小さくすることができる。
【００３１】
また、一旦読み取って得たデータを2値化処理して、記憶しておくので、画像編集中に原稿を読取装置から取り外して、原稿と確認しながら、画像処理を行うことができるので、より質の良い画像処理を行うことができる。
【００３２】
また、本発明の画像処理方法および装置において、編集（画像処理）対象領域および画像編集内容の指定用のモニタ画像については、編集対象領域および画像編集内容を指定することができればよく、高解像度の2値化画像データである必要がないことに着目し、各種類の2値化画像データから任意の１つの種類の2値化画像データをサンプリングして、解像度を落として第1の表示手段に表示させるので、第1の表示手段が有する第２のメモリの必要容量を小さくすることができる。
【００３３】
さらに、画像処理を終えたデータを出力する前に、該処理済みデータを低解像度データに変換して、表示手段に表示するようにすれば、印刷機などの出力装置に出力する前に、画像処理済みのデータのイメージを確認することができるので、実際に出力をすることがなく再編集することが可能である。
【００３４】
また、編集対象領域および画像編集内容を指定するためのモニタ画像と、画像編集済みの画像データのイメージとを表示するための第1と第2の表示手段は、同一なものを利用すれば、装置の小型化を図ると共に、コストダウンを実現することもできる。
【００３５】
【発明の実施の形態】
以下、図面を参照して、本発明の実施形態について説明する。
【００３６】
図１は、本発明の実施形態による画像処理システムを示す概略図である。
【００３７】
図１に示すように、本発明の画像処理システムが、原稿１を読み取って画像データＳ１を得るスキャナ２と、Ｓ１に対して画像編集を行う画像編集部３と、画像編集中または画像編集済みの低解像度に変換された画像データを表示するＬＣＤ１０と、画像編集済みのデータＳ４を印刷出力する孔版印刷機２０とを備えてなるものである。
【００３８】
図２は、画像編集部３およびＬＣＤ１０の詳細を説明するためのものである。図示のように、画像編集部３が、入力された画像データＳ１に対して夫々写真用網点2値化処理、文字用網点2値化処理を行って2値化画像データＳ２ａ、Ｓ２ｂを得る写真用網点2値化手段４ａ、文字用網点2値化手段４ｂと、各々の2値化画像データＳ２ａ、Ｓ２ｂを記憶するメモリ１、メモリ２と、写真用２値化画像データＳ２ａを低解像度画像データＳ３に変換して、表示手段となるＬＣＤ１０に出力する第1のサンプリング手段５と、メモリ３を有し、入力された低解像度の画像データを記憶して、表示するＬＣＤ１０と、ＬＣＤ１０に表示されたモニタ画像に対して、指定された編集領域（未指定領域を含む）および編集内容（未指定領域に対するデフォルトの編集内容を含む）Ｗを記憶するメモリ４と、メモリ４に記憶された情報Ｗに基づいて、メモリ１およびメモリ２の２値化画像データＳ２ａ、Ｓ２ｂから、該当する領域のデータを選択し、これらのデータに対して必要に応じた画像編集を施し、編集済みの各々のデータを合わせて、出力用画像データＳ４を得て、後述するメモリ５に出力するデータ処理手段６と、出力用画像データＳ４を記憶するメモリ５からの画像データを低解像度画像データＳ５に変換して、ＬＣＤ１０に出力する第２のサンプリング手段７とを備えてなるものである。なお、表示手段となるＬＣＤ１０には、入力手段としてタッチパネルが設けられ、編集領域および編集内容を指定することができる。
【００３９】
次いで、図３に示す原稿１を例にして、本実施形態の画像処理システムの作用について説明する。
【００４０】
まず、原稿１をスキャナ２にセットして、該原稿を読み取って得た画像データＳ１を２値化手段４に出力する。２値化手段４は、写真用網点２値化処理手段４ａと、文字用網点２値化処理手段２ｂとからなり、画像データＳ１に対して夫々写真用網点２値化処理と、文字用網点２値化処理を行って、写真用網点処理済みの２値化画像データＳ２ａと、文字用網点処理済みの２値化画像データＳ２ｂとを得る。２値化画像データＳ２ａとＳ２ｂは、夫々メモリ１とメモリ２に保存される。
【００４１】
サンプリング手段５が、メモリ１に保存された２値化画像データを呼び出し、サンプリング処理を施して、表示用の低解像度画像データＳ３に変換して、ＬＣＤ１０のメモリ３に出力する。ＬＣＤ１０がメモリ３に記憶された画像データＳ３をモニタ画像として、表示する。
【００４２】
ＬＣＤ１０により表示されたモニタ画像は、写真用網点処理が施された２値化画像データＳ２ａをサンプリングして得た画像データＳ３に基づいたもので、解像度が低いが、編集対象領域および編集内容を指定するには十分である。該モニタ画像に対して、ＬＣＤ１０に設けられたタッチパネルから、編集対象領域および編集内容を指定する。また、この時、原稿１をスキャナ２から取外しても何の支障もないので、原稿１の内容と画面に表示された内容とを見比べながら、操作を行えばよい。
【００４３】
ここで、例の原稿１を読み取って得た画像データＳ１から、上述の操作を得て得た画像データＳ３に対して、図３に示すように、「領域Ａ」および「領域Ａに対して写真用網点処理」と、「領域Ｂ」および「領域Ｂに対して文字用網点処理、文字の中抜き処理」との指定を行う。領域Ｃも「その他」の未指定領域として、情報Ｗに含まれる。なお、「その他」の未指定領域に対して、デフォルトの編集内容として「強制白」に設定されているので、領域Ｃに対する編集内容「強制白」も情報Ｗに含まれる。
【００４４】
すなわち、編集対処領域および画像編集内容を表す情報Ｗは、下記のような内容となっている：
指定領域１：Ａ、編集内容：写真用網点処理
指定領域２：Ｂ、編集内容：文字用網点処理、中抜き処理
未指定領域：Ｃ、編集内容：強制白
上記の情報Ｗは、メモリ４によって記憶される。
【００４５】
データ処理手段６は、上記の情報Ｗを参照し、下記の処理を行う：
１． メモリ１に記憶された写真用網点処理済みの２値化画像データＳ２ａから、
領域Ａの部分のデータを取り出して、データＡ'を得る。
【００４６】
２． メモリ２に記憶された文字用網点処理済みの２値化画像データＳ２ｂから、
領域Ｂのデータを取り出し、中抜き処理を施して、データＢ'を得る。
【００４７】
３． メモリ１の２値化画像データＳ２ａから、未指定領域としての領域Ｃの部分を取り出して、強制白処理を施し、データＣ'を得る。
【００４８】
４． データＡ'、Ｂ'、Ｃ'を合わせて、出力用画像データＳ４を得、Ｓ４をメモリ５に出力する。
【００４９】
メモリ５に記憶された出力用画像データＳ４が、サンプリング手段７によって、表示用の低解像度画像データＳ５に変換されて、ＬＣＤ１０のメモリ３に出力される。ＬＣＤ１０は、メモリ３に記憶された画像データＳ５に基づいて画像をイメージ画像として画面に表示する。オペレータが、ＬＣＤ１０に表示されたイメージ画像を確認し、ＯＫならば、印刷スタート指示を出して、メモリ５に記憶された出力用画像データＳ４を孔版印刷機２０へ出力させ、印刷を行う。
【００５０】
このようにして、本発明の実施形態による該画像処理システムは、原稿１を読み取って得た画像データＳ１に対して、文字用網点2値化処理および写真用網点２値化処理を行い、夫々の2値化処理によって２値化画像データＳ２ａとＳ２ｂをメモリ１とメモリ２に記憶しておき、後の編集対象領域および画像編集内容の指定と、画像編集処理とのために供するので、原稿の編集対象領域の指定と原稿を読み取るための2段階の原稿のセットを不要にし、原稿の位置ずれを防ぐと共に、原稿の読取りを1度だけにして、画像処理効率の向上を図ることができる。
【００５１】
また、２値化画像データＳ２ａとＳ２ｂは、画像データＳ１を2値化処理して得たデータであって、高解像度にも関わらず、サイズが画像データＳ１より遥かに小さいので、必要なメモリ１とメモリ２の容量が小さい。
【００５２】
また、一旦読み取って得たデータＳ１を2値化処理して、メモリに記憶しておくので、１回だけ読み取った後の画像編集中に原稿１をスキャナ２から取り外して、原稿１とＬＣＤ１０に表示されたモニタ画像とを確認しながら、画像処理を行うことができるので、より質の良い画像処理を行うことができる。
【００５３】
また、編集対象領域および画像編集内容の指定用のモニタ画像については、写真用網点処理済みの２値化画像データＳ２ａをサンプリングして、解像度を落としてＬＣＤ１０に表示させるので、ＬＣＤが有するメモリ３の必要容量を小さくすることができる。
【００５４】
さらに、画像編集済みの出力用画像データＳ４を孔版印刷機２０によって印刷出力する前に、該画像データＳ４をメモリ５に一旦記憶しておき、サンプリング手段７によって低解像度データＳ５に変換して、ＬＣＤ１０に表示するようにしているので、孔版印刷機２０に出力する前に、画像編集済みのデータＳ４のイメージを確認することができる。
【００５５】
また、編集対象領域および画像編集内容を指定するためのモニタ画像と、画像編集済みの画像データＳ４のイメージとを表示するための表示手段は、同じＬＣＤ１０を利用しているので、装置全体の小型化を図ると共に、コストダウンを実現することもできる。
【００５６】
以上、本発明による画像処理の方法および装置の好ましい実施形態について説明したが、本発明は上記実施の形態に限定されるものではなく、発明の要旨を変更しない限りにおいて、種々変更することが可能である。
【００５７】
たとえば、上記実施形態においては、画像出力部として孔版印刷機２０を用いているが、本発明の画像出力部としては、孔版印刷機に限らず、製版機、複写機、プリンタなどの出力装置を用いることができる。
【００５８】
また、孔版印刷機が、通常６００ｄｐｉ以下の解像力を持ち、印刷のドットゲインも大きいという特性から、印刷の仕上りをきれいにするために、孔版印刷機に出力するための２値化処理が通常網点処理であるため、上記の実施形態においては、２値化処理手段４として、写真用網点２値化手段４ａと文字用網点２値化手段４ｂを設けているが、出力部となる印刷機の特性などに基づいて、適宜の２値化手段を設けてもよい。
【００５９】
また、上記画像処理システムにおいて、説明をしやすくするために、記憶手段として、メモリ１、メモリ２、メモリ３、メモリ４、メモリ５を用途別に別々に設ける形にしているが、１つのメモリにおいて、アドレスと用途とを対応させて、アドレス別に異なる用途のデータを記憶する1つのメモリであってもよい。
【００６０】
上記画像処理システムにおいて、編集対象領域および画像編集内容を指定するための低解像度画像データＳ３の元となるデータは、写真用網点処理済みの２値化画像データＳ２ａを用いたが、所望に応じて、解像度を低く変換後、編集対象領域および画像編集内容を指定することのできるデータを得ることができれば、いずれの２値化画像データを使用してもよい。
【００６１】
また、未指定領域Ｃに対する編集内容は、予め設定されたデフォルト編集内容に自動的に指定されるようになっているが、必要に応じて、該デフォルトの編集内容を選択可にしたり、未指定領域に対しても編集内容を指定するようにしたりして本発明の画像処理装置を構成してもよい。
【００６２】
さらに、編集対象領域および画像編集内容を指定する入力手段として、タッチパネルを用いたが、編集対象領域および画像編集内容を指定することができるいかなるポインティングデバイスなどでもよい。
【図面の簡単な説明】
【図１】本発明による実施形態の画像処理システムを示す概略図
【図２】図１に示した画像処理システムの画像編集部３と表示部ＬＣＤ１０の詳細を説明するための図
【図３】原稿１の図面構成の１例を示す図
【符号の説明】
１    原稿
２    スキャナ
３    画像編集部
４ａ，４ｂ    ２値化手段
５    第１のサンプリング手段
６    データ処理手段
７    第２のサンプリング手段
１０    ＬＣＤ
２０    孔版印刷機
Ａ    原稿１の写真領域
Ｂ    原稿１の文字領域
Ｃ    その他の領域
Ｗ    編集対象領域および編集内容情報
【図１】
0003706803.tif 000002
【図２】
0003706803.tif 000003
【図３】
0003706803.tif 000004